(57)【特許請求の範囲】
【請求項１】
参照信号の送信方法であって、
キャリア・アグリゲーションの時、ユーザー端末が1つ或は複数のコンポーネントキャリアの上で物理アップリンク共有チャネル（PUSCH）を送信し、各コンポーネントキャリアにおけるPUSCHの占用したセグメント毎の帯域幅の上でPUSCHに用いられる復調用参照信号（DM RS）を送信し、
その中で、1セグメントの帯域幅の上のDM RSシーケンスが1つの独立シーケンスであり、前記1セグメントの帯域幅は何れかの1つのコンポーネントキャリアの上のPUSCHに占用された1セグメントの連続の帯域幅、或は何れかの1つのコンポーネントキャリアの上のPUSCHに占用された複数のセグメントの帯域幅中の何れかの1つの1セグメントであることを含む参照信号の送信方法。
【請求項２】
各々のコンポーネントキャリアの上のPUSCHに占用されたセグメント毎の帯域幅の上のDM RSシーケンスがいずれも独立シーケンスである請求項1に記載の方法。
【請求項３】
各々のセグメントの帯域幅の上のDM RSシーケンスの基準シーケンスが同じ或は異なるシーケンスグループからのものであり、シーケンスグループホッピング機能をオンにする時、セグメント毎の帯域幅の上のDM RSシーケンスのシーケンスグループ番号uが1つの無線フレーム内でタイムスロットに従って変化し、各々セグメントの帯域幅の上のDM RSシーケンスのシーケンスグループホッピングパターンが同じ或は異なることである請求項1に記載の方法。
【請求項４】
同じタイムスロットにおいて、複数の独立シーケンスの基準シーケンスが同じシーケンス  グループからのものであり、同じ循環シフト量を有し、シーケンスの長さが同じで、且つ
0005479596.tif 000349
よりも大きいかまたは等しくて、
0005479596.tif 000350
は1つの物理リソースブロックが周波数領域の上に占有したサブキャリア数であると、前記複数の独立シーケンスの基準シーケンスのグループ内のシーケンス番号が同じ或は異なり、シーケンスグループホッピング機能をオフにし、且つシーケンスホッピング機能をオンにする時、前記複数の独立シーケンスのシーケンスホッピングパターンが同じ或は異なり、前記独立シーケンスが1セグメントの帯域幅の上のDM RSシーケンスである請求項1に記載の方法。
【請求項５】
2つの独立シーケンスの基準シーケンスが同じシーケンスグループからのものであり、同じ循環シフトを有し、且つこの2つの独立シーケンスが同じ長さで、且つ
0005479596.tif 000351
よりも大きいかまたは等しくて、
0005479596.tif 000352
は1つの物理リソースブロックが周波数領域の上に占有したサブキャリア数であると、前記2つの独立シーケンスのグループ内のシーケンス番号
0005479596.tif 000353
を満たし、シーケンスグループホッピング機能をオフにし、且つシーケンスホッピング機能をオンにすると、前記2つの独立シーケンスのシーケンスホッピングパターンが
0005479596.tif 000354
を満たし、前記独立シーケンスが1セグメントの帯域幅におけるDM RSシーケンスである請求項1に記載の方法。
【請求項６】
前記1セグメントの帯域幅の上のDM RSシーケンスが1つの独立シーケンスである時、該セグメントの帯域幅の上のDM RSシーケンス
0005479596.tif 000355
が
0005479596.tif 000356
であり、
その中で、
0005479596.tif 000357
であり、
且つシーケンスの長さ
0005479596.tif 000358
が該セグメントの帯域幅に対応するサブキャリア数
0005479596.tif 000359
であり、m=0,1がそれぞれ1つのサブフレーム内の2つのタイムスロットに対応し、
0005479596.tif 000360
が循環シフト量で、uがシーケンスグループ番号で、vがグループ内のシーケンス番号である請求項1に記載の方法。
【請求項７】
前記シーケンス
0005479596.tif 000361
に1つのマグニチュードのスケーリング係数
0005479596.tif 000362
をかけた後、
0005479596.tif 000363
から対応するPUSCH伝送に用いられる同じ物理リソースブロック集合にマッピングし、リソース要素
0005479596.tif 000364
にマッピングする時、kとlが逓増する順序に従って、周波数領域を先にし、時間領域を後にするようにマッピングし、タイムスロット毎のPUSCHに用いられる復調用参照信号DM RSがいずれも7個のノーマル・サイクリックプレフィックス符号における第4番目或は6個の拡張サイクリックプレフィックス符号における第3番目に位置される請求項6に記載の方法。
【請求項８】
参考信号の送信装置であって、
キャリア・アグリゲーションの時、各コンポーネントキャリアにおけるPUSCHに占用されたセグメント毎の帯域幅の上でPUSCHに用いられる復調用参照信号（DM RS）を発信し、その中で、1セグメントの帯域幅の上のDM RSシーケンスが1つの独立シーケンスであり、前記1セグメントの帯域幅が何れかの1つのコンポーネントキャリアの上のPUSCHに占用された1セグメントの連続の帯域幅であり、或は何れかの1つのコンポーネントキャリアにおけるPUSCHに占用された複数のセグメントの帯域幅中のいずれの1セグメントであるように設置される参考信号の送信装置。
【請求項９】
前記装置が各々のコンポーネントキャリアにおけるPUSCHに占用されたセグメント毎の帯域幅の上で送信したDM RSシーケンスはいずれも独立シーケンスである請求項8に記載の装置。
【請求項１０】
前記装置が送信した前記DM RSシーケンスは、
各セグメントの帯域幅の上におけるDM RSシーケンスの基準シーケンスが同じ或は異なるシーケンスグループからのものであり、シーケンスグループホッピング機能をオンにする時、セグメント毎の帯域幅におけるDM RSシーケンスのシーケンスグループ番号uが1つの無線フレーム内でタイムスロットに従って変化し、各々セグメントの帯域幅におけるDM RSシーケンスのシーケンスグループホッピングパターンが同じ或は異なる、の条件を満たす請求項8に記載の装置。
【請求項１１】
前記装置が送信した前記DM RSシーケンスは、
同じタイムスロットにおいて、複数の独立シーケンスの基準シーケンスが同じシーケンスグループからのものであり、同じ循環シフト量を有し、シーケンスの長さが同じで、且つ
0005479596.tif 000365
よりも大きいかまたは等しくて、
0005479596.tif 000366
は1つの物理リソースブロックが周波数領域の上に占有したサブキャリア数であると、前記複数の独立シーケンスの基準シーケンスのグループ内のシーケンス番号が同じ或は異なり、シーケンスグループホッピング機能をオフにし、且つシーケンスホッピング機能をオンにする時、前記複数の独立シーケンスのシーケンスホッピングパターンが同じ或は異なり、前記独立シーケンスが1セグメントの帯域幅の上のDM RSシーケンスである、の条件を満たす請求項8に記載の装置。
【請求項１２】
前記装置が送信した前記DM RSシーケンスは、
2つの独立シーケンスの基準シーケンスが同じシーケンスグループからのものであり、同じ循環シフトを有し、且つ前記2つの独立シーケンスが同じ長さを有し、且つ
0005479596.tif 000367
よりも大きいかまたは等しくて、
0005479596.tif 000368
は1つの物理リソースブロックが周波数領域の上に占有したサブキャリア数であると、前記2つの独立シーケンスのグループ内のシーケンス番号
0005479596.tif 000369
を満たし、シーケンスグループホッピング機能をオフにし、且つシーケンスホッピング機能をオンにすれば、前記2つの独立シーケンスのシーケンスホッピングパターンが
0005479596.tif 000370
を満たし、前記独立シーケンスが1セグメントの帯域幅の上のDM RSシーケンスである、の条件を満たす請求項8に記載の装置。
【請求項１３】
前記装置が送信した前記DM RSシーケンスは、
前記1セグメントの帯域幅におけるDM RSシーケンスが1つの独立シーケンスである時、該セグメントの帯域幅におけるDM RSシーケンス
0005479596.tif 000371
が、
0005479596.tif 000372
であり、
その中で、
0005479596.tif 000373
であり、且つシーケンスの長さ
0005479596.tif 000374
が該セグメントの帯域幅に対応するサブキャリア数
0005479596.tif 000375
であり、m=0,1がそれぞれ1つのサブフレーム内の2つのタイムスロットに対応し、
0005479596.tif 000376
が循環シフト量であり、uがシーケンスグループ番号であり、vがグループ内のシーケンス番号である、の条件を満たす請求項8に記載の装置。
【請求項１４】
前記装置はさらに、シーケンス
0005479596.tif 000377
に1つのマグニチュードのスケーリング係数
0005479596.tif 000378
をかけた後、
0005479596.tif 000379
から対応するPUSCH伝送に用いられる同じ物理リソースブロックの集合にマッピングし、リソース要素
0005479596.tif 000380
にマッピングする時、kとlが逓増する順序によって、周波数領域を先にし、時間領域を後にするようにマッピングし、タイムスロット毎においてPUSCHに用いられる復調用参照信号DM RSがいずれも7個のノーマル・サイクリックプレフィックス符号における第4番目或は6個の拡張サイクリックプレフィックス符号における第3番目に位置されるように設置される請求項13に記載の装置。
【発明の詳細な説明】
【技術分野】
【０００１】
本発明は移動通信分野に関し、特に参照信号の送信方法と装置に関する。
【背景技術】
【０００２】
第3世代パートナーシップ・プロジェクト・ロング・ターム・エボリューション（The 3rd Generation Partnership Project Long Term Evolution、3GPP LTE）システムにおいて、アップリンクリソース割当が物理リソースブロック（Physical Resource Block、 PRBと略する）を単位とする。1つの物理リソースブロックPRBが周波数領域に
0005479596.tif 000002
個の連続したサブキャリア（subcarrier）を占有し、時間領域に
0005479596.tif 000003
個の連続した符号を占有する。その中で
0005479596.tif 000004
であり、サブキャリアの間隔が15kHzであり、即ち、1つのPRBの周波数領域における幅が180kHzとなる。ノーマル・サイクリックプレフィックス（Normal cyclic prefix、Normal CPと略する）に対して、
0005479596.tif 000005
であり、拡張サイクリックプレフィックス（Extended cyclic prefix、Extended CPと略する）に対して、
0005479596.tif 000006
であり、即ち、1つのPRBの時間領域における長さが1つのタイムスロット（slot、0.5ms）である。このように、1つのPRBは、
0005479596.tif 000007
個のリソース要素（Resource Element、REと略する）を含むことになる。1つのタイムスロットにおいて、PRBのインデックスが
0005479596.tif 000008
で、その中で、
0005479596.tif 000009
であり、
0005479596.tif 000010
がアップリンクシステムの帯域幅に対応するPRB値であり、REのインデックス組が
0005479596.tif 000011
であり、その中で、
0005479596.tif 000012
が周波数領域のインデックスであり、
0005479596.tif 000013
が時間領域のインデックスであり、そうすると、
0005479596.tif 000014
であり、
ノーマル・サイクリックプレフィックスを例とすれば、PRBの構造は図1に示すものである。
【０００３】
図2に示すように、LTEシステムにおいて、セル内における複数のユーザー端末（User Equipment, UE）の物理アップリンク共有チャネル（Physical Uplink Shared Channel, PUSCH）がアップリンクシステムの帯域幅に周波数分割多重化を行って、即ち、異なるUEのPUSCHが周波数領域で直交し、異なる物理リソースブロックを占用している。しかし、リソース割当は集中式（Localized）の割当方式を採用し、即ち、1つUEのPUSCHが周波数領域において、1セグメントの連続の帯域幅を占用し、アップリンクシステムの帯域幅全体の一部となっている。該セグメントの帯域幅に1グループの連続のPRBが含まれ、PRBの数が
0005479596.tif 000015
であり、含まれた連続のサブキャリアの数が
0005479596.tif 000016
である。
【０００４】
LTEシステムにおけるアップリンク参照信号は復調用参照信号（Demodulation Reference Signal、DM RS）とサウンディング参照信号（Sounding Reference Signal、SRS）に分けられている。その中で、復調用参照信号DM RSは、更にPUSCHに用いられるDM RSと物理アップリンク制御チャネル（Physical Uplink Control Channel、PUCCH）に用いられるDM RSに分けられている。すべてのアップリンク参照信号は同じ形式の参照信号シーケンスを有する。
【０００５】
LTEシステムのアップリンク参照信号シーケンス
0005479596.tif 000017
が基準シーケンス
0005479596.tif 000018
の循環シフトに定義され、
0005479596.tif 000019
であり、
その中で、
0005479596.tif 000020
は参照信号シーケンスの長さであり、
0005479596.tif 000021
とする。1つの基準シーケンス
0005479596.tif 000022
に対して、異なる循環シフト量
0005479596.tif 000023
を使うと、複数の参照信号シーケンスを定義することができる。
【０００６】
基準シーケンス
0005479596.tif 000024
の定義がシーケンス長さ
0005479596.tif 000025
によって決まれる。
【０００７】
0005479596.tif 000026
とすると、
0005479596.tif 000027
であり、
その中で、第q番目のZadoff-Chuシーケンス（ZCシーケンスと略する）が、
0005479596.tif 000028
と定義され、
ｑが、
0005479596.tif 000029
で計算され、
ZCシーケンスのシーケンス長さ
0005479596.tif 000030
を満たす最大の素数であり、即ち、長さが
0005479596.tif 000031
であるZCシーケンスを、循環シフトによって長さが
0005479596.tif 000032
である基準シーケンスに形成する。
【０００８】
0005479596.tif 000033
とすると、
0005479596.tif 000034
であり、
その中で、
0005479596.tif 000035
の値が表1と表2によりそれぞれ示された。
【０００９】
表1
0005479596.tif 000036
【００１０】
表2
0005479596.tif 000037
【００１１】
基準シーケンス
0005479596.tif 000038
は30個のグループに分けられ、
0005479596.tif 000039
がグループの番号であり、vがグループ内の基準シーケンスの番号である。グループごとにシーケンス長さ
0005479596.tif 000040
までのすべての長さの基準シーケンスが含まれ、その中で、シーケンス長さが
0005479596.tif 000041
を満たす基準シーケンスは、各の長さの基準シーケンスを1つ
0005479596.tif 000042
だけ有し、シーケンス長さが
0005479596.tif 000043
を満たす基準シーケンスは、各の長さの基準シーケンスを2つ
0005479596.tif 000044
有する。シーケンスグループの番号uとグループ内のシーケンスの番号vは時間に従って変化でき、シーケンスグループホッピング（Group hopping）とシーケンスのホッピング（Sequence hopping）を実現するようにする。
【００１２】
タイムスロット
0005479596.tif 000045
において使用された基準シーケンスのシーケンスグループの番号uは、シーケンスグループのホッピングパターン（group hopping pattern）
0005479596.tif 000046
及びシーケンスシフトパターン（sequence-shift pattern）
0005479596.tif 000047
によって、
0005479596.tif 000048
で、
17種類のシーケンスグループホッピングパターンと30種類のシーケンスシフトパターンが定義される。
【００１３】
シーケンスグループホッピングの機能は、高層シグナルによって、オン或はオフにすることができる。シーケンスグループホッピングパターン
0005479596.tif 000049
は、
0005479596.tif 000050
であり、
その中で、1つの無線フレームの内に
0005479596.tif 000051
であり、
0005479596.tif 000052
が擬似ランダムシーケンスであり、各のフレームの開始部に初期化され、初期値が
0005479596.tif 000053
であり、
0005479596.tif 000054
が物理層のセルIDである。
【００１４】
PUCCHとPUSCHとは、同じシーケンスグループホッピングパターンを有するが、シーケンスシフトパターンが異なる可能性がある。
【００１５】
PUCCHのシーケンスシフトパターン
0005479596.tif 000055
は、
0005479596.tif 000056
であり、
PUSCHのシーケンスシフトパターン
0005479596.tif 000057
は、
0005479596.tif 000058
であり、
その中で、
0005479596.tif 000059
は、高層により配置される。
【００１６】
シーケンスホッピングは参照信号シーケンスの長さが
0005479596.tif 000060
となっている時に限り用いられる。
【００１７】
参照信号シーケンスの長さが
0005479596.tif 000061
となる時、グループ毎の内に長さが
0005479596.tif 000062
である基準シーケンスを1つだけ有し、基準シーケンスのグループ内のシーケンス番号がv=0である。
【００１８】
参照信号シーケンスの長さ
0005479596.tif 000063
となる時、グループ毎の内に長さが
0005479596.tif 000064
である基準シーケンスを2つ有し、v=0,1であり、タイムスロット
0005479596.tif 000065
において使用された基準シーケンスのグループ内のシーケンス番号は、
0005479596.tif 000066
であり、その中で、1つの無線フレームの内に
0005479596.tif 000067
あり、
0005479596.tif 000068
が擬似ランダムシーケンスであり、フレーム毎の開始部に初期化され、初期値が
0005479596.tif 000069
である。
【００１９】
PUSCHに用いられるDM RSシーケンス
0005479596.tif 000070
が、
0005479596.tif 000071
に定義され、
その中で、
0005479596.tif 000072
且つ
0005479596.tif 000073
であり、
m=0,1は、それぞれ1つのサブフレーム（subframe、長さが1msである）内の2つのタイムスロットに対応する。
【００２０】
タイムスロット
0005479596.tif 000074
0005479596.tif 000075
であり、
その中で、
0005479596.tif 000076
であり、
0005479596.tif 000077
が高層パラメーターにより配置され、
0005479596.tif 000078
がシステムのシグナルにより配置され、
0005479596.tif 000079
であり、
その中で、1つの無線フレームの内に
0005479596.tif 000080
であり、
0005479596.tif 000081
が擬似ランダムシーケンスであり、フレーム毎の開始部に初期化され、初期値が
0005479596.tif 000082
である。
【００２１】
PUSCHのDM RS構造は図3と図4に示す通りである。シーケンス
0005479596.tif 000083
に1つのマグニチュードのスケーリング係数
0005479596.tif 000084
をかけた後、
0005479596.tif 000085
から対応するPUSCH伝送に用いられる同じ物理リソースブロックの集合にマッピングする。1つのサブフレームの
0005479596.tif 000086
にマッピングする時、kとlが逓増する順序によって、周波数領域（k）を先にし、時間領域（l）を後にするようにマッピングする。各タイムスロットに、DM RSが常に該タイムスロット中の7個のNormal CP符号における第4番目（l=3）或は6個のExtended CP符号における第3番目（l=2）に位置される。
【００２２】
各のUEのPUSCHのDM RSが該UEのPUSCHの送信帯域幅内を送信し、且つセル内の各UEのPUSCHが周波数領域に直交するので、相応するDM RSも周波数領域に直交することになる。
【００２３】
LTE-Advancedシステム（LTE-Aシステムと略する）はLTEシステムの次の世代のエボリューションシステムである。図5に示すように、LTE-Aシステムがキャリア・アグリゲーション（carrier aggregation）技術を採用し、伝送帯域幅を拡大し、各々のアグリゲートしたキャリアを1つの「コンポーネントキャリア」（component carrier）と呼ばれる。複数のコンポーネントキャリアは連続してもよく、しなくてもよく、同じ周波数帯域に位置されてもよく、異なる周波数帯域に位置されてもよい。
【００２４】
キャリア・アグリゲーションの場合、あるユーザー端末が複数のコンポーネントキャリアの上で、PUSCHを送信すると、どのように復調用参照信号DM RSを送信することが早急に解決しなければならない問題となる。
【００２５】
また、LTE-Aシステムにおいて、あるユーザー端末の1つのコンポーネントキャリア内にあるPUSCHはシステムシグナルの指示によって、連続または非連続のリソース割当方式を採用できる。連続のリソース割当は、即ち集中式のリソース割当方式であり、ユーザー端末のPUSCH送信信号が1つのコンポーネントキャリア内に1セグメントの連続の帯域幅を占有することを指し、非連続のリソース割当とはユーザー端末のPUSCH送信信号が1つのコンポーネントキャリア内に複数のセグメントの帯域幅を占有し、これらの帯域幅が非連続であり、各のセグメントの帯域幅に1グループの連続のPRBが含まれることを指す。
【００２６】
非連続のリソース割当のPUSCHに対して、どのように復調用参照信号DM RSを送信することは、解決の必要がある問題になる。
【発明の概要】
【発明が解決しようとする課題】
【００２７】
本発明が解決しようとする問題は、参照信号の送信方法と装置を提供し、ユーザー端末が複数のコンポーネントキャリアの上でPUSCHを送信し、及び1つのコンポーネントキャリアの複数のセグメントの帯域幅の上でPUSCHを送信する時に復調用参照信号DM RSを送信する問題を解決する。
【課題を解決するための手段】
【００２８】
前記問題を解決するために、本発明は参照信号の送信方法を提供する。キャリア・アグリゲーションの時、ユーザー端末が1つ或は複数のコンポーネントキャリアの上で物理アップリンク共有チャネル（PUSCH）を送信し、各コンポーネントキャリアにおけるPUSCHの占用したセグメント毎の帯域幅の上でPUSCHに用いられる復調用参照信号（DM RS）を送信し、その中で、1セグメントの帯域幅の上のDM RSシーケンスが1つの独立シーケンス或は1つの独立シーケンスの部分的なシーケンスであり、前記1セグメントの帯域幅以外の若干のセグメントの他の帯域幅の上のDM RSシーケンと1つの独立シーケンスを構成し、前記1セグメントの帯域幅は何れかの1つのコンポーネントキャリアの上のPUSCHに占用された1セグメントの連続の帯域幅、或は何れかの1つのコンポーネントキャリアの上のPUSCHに占用された複数のセグメントの帯域幅中のいずれの1つのセグメントであることを含む。
【００２９】
前記方法は、同じコンポーネントキャリアの上のPUSCHに占用された複数のセグメントの帯域幅の上のDM RSシーケンスで、1つの独立シーケンスを構成し、セグメント毎の帯域幅の上のDM RSシーケンスがそれぞれ該独立シーケンスの部分的なシーケンスである特徴を更に有することができる。 
【００３０】
前記方法は各々のコンポーネントキャリアの上のPUSCHに占用されたセグメント毎の帯域幅の上のDM RSシーケンスがいずれも独立シーケンスである特徴を更に有することができる。
【００３１】
前記方法は各々のセグメントの帯域幅の上のDM RSシーケンスの基準シーケンスが同じ或は異なるシーケンスグループからのものであり、シーケンスグループホッピング機能をオンにする時、セグメント毎の帯域幅の上のDM RSシーケンスのシーケンスグループ番号uが1つの無線フレーム内でタイムスロットに従って変化し、各々セグメントの帯域幅の上のDM RSシーケンスのシーケンスグループホッピングパターンが同じ或は異なることである特徴を更に有することができる。
【００３２】
前記方法は同じタイムスロットにおいて、複数の独立シーケンスの基準シーケンスが同じシーケンスグループからのものであり、同じ循環シフト量を有し、シーケンスの長さが同じで、且つ
0005479596.tif 000087
よりも大きいかまたは等しくて、
0005479596.tif 000088
は1つの物理リソースブロックが周波数領域の上に占有されたサブキャリア数であると、前記複数の独立シーケンスの基準シーケンスのグループ内のシーケンス番号が同じ或は異なり、シーケンスグループホッピング機能をオフにすし、且つシーケンスホッピング機能をオンにする時、前記複数の独立シーケンスのシーケンスホッピングパターンが同じ或は異なり、前記独立シーケンスが1セグメントの帯域幅の上のDM RSシーケンスであり、或は若干のセグメントの帯域幅の上におけるDM RSシーケンスで共同で構成されたシーケンスである特徴を更に有することができる。
【００３３】
前記方法は2つの独立シーケンスの基準シーケンスが同じシーケンスグループからのものであり、同じ循環シフトを有し、且つこの2つの独立シーケンスが同じ長さで、且つ
0005479596.tif 000089
よりも大きいかまたは等しくて、
0005479596.tif 000090
は1つの物理リソースブロックが周波数領域の上に占有したサブキャリア数であると、前記2つの独立シーケンスのグループ内のシーケンス番号
0005479596.tif 000091
を満たし、シーケンスグループホッピング機能をオフにし、且つシーケンスホッピング機能をオンにすると、前記2つの独立シーケンスのシーケンスホッピングパターンが
0005479596.tif 000092
を満たし、前記独立シーケンスが1セグメントの帯域幅におけるDM RSシーケンスであり、或は若干のセグメントの帯域幅の上のDM RSシーケンスにより共同で構成されたシーケンスである特徴を更に有することができる。
【００３４】
前記方法は前記1セグメントの帯域幅の上のDM RSシーケンスが1つの独立シーケンスである時、該セグメントの帯域幅の上のDM RSシーケンス
0005479596.tif 000093
が
0005479596.tif 000094
であり、その中で、
0005479596.tif 000095
であり、
且つシーケンスの長さ
0005479596.tif 000096
が該セグメントの帯域幅に対応するサブキャリア数
0005479596.tif 000097
であり、m=0,1がそれぞれ1つのサブフレーム内の2つのタイムスロットに対応し、
0005479596.tif 000098
が循環シフト量で、uがシーケンスグループ番号で、vがグループ内のシーケンス番号である特徴を更に有することができる。
【００３５】
前記方法はRセグメントの帯域幅の上のDM RSシーケンスがそれぞれ1つの独立シーケンス
0005479596.tif 000099
の部分的なシーケンスである時、
0005479596.tif 000100
であり、
その中で、
0005479596.tif 000101
であり、
且つ
0005479596.tif 000102
であり、
その中で、
0005479596.tif 000103
が基準シーケンスで、
0005479596.tif 000104
が循環シフト量で、uがシーケンスグループ番号で、vがグループ内のシーケンス番号であり、m=0,1がそれぞれ1つのサブフレーム内の2つのタイムスロットに対応し、
0005479596.tif 000105
が該Rセグメントの帯域幅に対応する総サブキャリア数であり、
該Rセグメントの帯域幅の上における第rセグメントの帯域幅の上のDM RSシーケンス
0005479596.tif 000106
は
0005479596.tif 000107
であり、
その中で、
0005479596.tif 000108
であり、
第0セグメントの帯域幅の上のDM RSシーケンス
0005479596.tif 000109
は
0005479596.tif 000110
であり、
その中で、
0005479596.tif 000111
であり、
0005479596.tif 000112
が第rセグメントの帯域幅に対応するサブキャリア数である特徴を更に有することができる。
【００３６】
前記方法はシーケンス
0005479596.tif 000113
に1つのマグニチュードのスケーリング係数
0005479596.tif 000114
をかけた後、
0005479596.tif 000115
から対応するPUSCH伝送に用いられる同じ物理リソースブロック集合にマッピングし、リソース要素
0005479596.tif 000116
にマッピングする時、kとlが逓増する順序に従って、周波数領域を先にし、時間領域を後にするようにマッピングし、タイムスロット毎のPUSCHに用いられる復調用参照信号DM RSがいずれも7個のノーマル・サイクリックプレフィックス符号における第4番目或は6個の拡張サイクリックプレフィックス符号における第3番目に位置される特徴を更に有することができる。
【００３７】
本発明は、参考信号の送信装置を更に提供し、キャリア・アグリゲーションの時、各コンポーネントキャリアにおけるPUSCHに占用されたセグメント毎の帯域幅の上でPUSCHに用いられる復調用参照信号（DM RS）を発信し、その中で、1セグメントの帯域幅の上のDM RSシーケンスが1つの独立シーケンス或は1つの独立シーケンスの部分的なシーケンスであり、前記1セグメントの帯域幅以外の若干のセグメントの他の帯域幅の上のDM RSシーケンスと1つの独立シーケンスを構成し、前記1セグメントの帯域幅が何れかの1つのコンポーネントキャリアの上のPUSCHに占用された1セグメントの連続の帯域幅であり、或は何れかの1つのコンポーネントキャリアにおけるPUSCHに占用された複数のセグメントの帯域幅中のいずれの1つのセグメントであるように設置される。
【００３８】
前記装置は前記装置が送信した前記DM RSは、同じコンポーネントキャリアにおけるPUSCHに占用された複数のセグメントの帯域幅の上のDM RSシーケンスで1つの独立シーケンスを構成し、セグメント毎の帯域幅の上のDM RSシーケンスがそれぞれ該独立シーケンスの部分的なシーケンスである、の条件を満たす特徴を更に有することができる。 
【００３９】
前記装置は前記装置が各々のコンポーネントキャリアにおけるPUSCHに占用されたセグメント毎の帯域幅の上で送信したDM RSシーケンスはいずれも独立シーケンスである特徴を更に有することができる。
【００４０】
前記装置が前記装置で送信した前記DM RSシーケンスは、各セグメントの帯域幅の上におけるDM RSシーケンスの基準シーケンスが同じ或は異なるシーケンスグループからのものであり、シーケンスグループホッピング機能をオンにする時、セグメント毎の帯域幅におけるDM RSシーケンスのシーケンスグループ番号uが1つの無線フレーム内でタイムスロットに従って変化し、各々セグメントの帯域幅におけるDM RSシーケンスのシーケンスグループホッピングパターンが同じ或は異なる、の条件を満たす特徴を更に有することができる。
【００４１】
前記装置は前記装置が送信した前記DM RSシーケンスは、同じタイムスロットにおいて、複数の独立シーケンスの基準シーケンスが同じシーケンスグループからのものであり、同じ循環シフト量を有し、シーケンスの長さが同じで、且つ
0005479596.tif 000117
よりも大きいかまたは等しくて、
0005479596.tif 000118
は1つの物理リソースブロックが周波数領域の上に占有したサブキャリア数であると、前記複数の独立シーケンスの基準シーケンスのグループ内のシーケンス番号が同じ或は異なり、シーケンスグループホッピング機能をオフにし且つシーケンスホッピング機能をオンにする時、前記複数の独立シーケンスのシーケンスホッピングパターンが同じ或は異なり、前記独立シーケンスが1セグメントの帯域幅の上のDM RSシーケンスであり、或は若干のセグメントの帯域幅におけるDM RSシーケンスで共同で構成されたシーケンスである、の条件を満たす特徴を有することができる。
【００４２】
前記装置は前記装置が送信した前記DM RSシーケンスは、2つの独立シーケンスの基準シーケンスが同じシーケンスグループからのものであり、同じ循環シフトを有し、且つ前記2つの独立シーケンスが同じ長さを有し、且つ
0005479596.tif 000119
よりも大きいかまたは等しくて、
0005479596.tif 000120
は1つの物理リソースブロックが周波数領域の上に占有されたサブキャリア数であると、前記2つの独立シーケンスのグループ内のシーケンス番号
0005479596.tif 000121
を満たし、シーケンスグループホッピング機能をオフにし、且つシーケンスホッピング機能をオンにすれば、前記2つの独立シーケンスのシーケンスホッピングパターンが
0005479596.tif 000122
を満たし、前記独立シーケンスが1セグメントの帯域幅の上のDM RSシーケンスであり、或は若干のセグメントの帯域幅におけるDM RSシーケンスにより共同で構成されたシーケンスである、の条件を満たす特徴を更に有することができる。
【００４３】
前記装置は、前記装置が送信した前記DM RSシーケンスは、前記1セグメントの帯域幅におけるDM RSシーケンスが1つの独立シーケンスである時、該セグメントの帯域幅におけるDM RSシーケンス
0005479596.tif 000123
であり、
その中で、
0005479596.tif 000124
であり、
且つシーケンスの長さ
0005479596.tif 000125
が該セグメントの帯域幅に対応するサブキャリア数
0005479596.tif 000126
であり、m=0,1がそれぞれ1つのサブフレーム内の2つのタイムスロットに対応し、
0005479596.tif 000127
が循環シフト量であり、uがシーケンスグループ番号であり、vがグループ内のシーケンス番号である、の条件を満たす特徴を更に有することができる。
【００４４】
前記装置は、前記装置が送信した前記DM RSシーケンスは、Rセグメントの帯域幅におけるDM RSシーケンスがそれぞれ1つの独立シーケンスの部分的なシーケンスである時、
0005479596.tif 000128
が
0005479596.tif 000129
であり、
その中で、
0005479596.tif 000130
であり、且つ
0005479596.tif 000131
であり、
その中で、
0005479596.tif 000132
が基準シーケンスであり、
0005479596.tif 000133
が循環シフト量であり、uがシーケンスグループ番号であり、vがグループ内のシーケンス番号であり、m=0,1がそれぞれ1つのサブフレーム内の2つのタイムスロットに対応し、
0005479596.tif 000134
が該Rセグメントの帯域幅に対応する総サブキャリア数であり、
該Rセグメントの帯域幅の上の第rセグメントの帯域幅におけるDM RSシーケンス
0005479596.tif 000135
であり、その中で、
0005479596.tif 000136
であり、
第0セグメントの帯域幅の上のDM RSシーケンス
0005479596.tif 000137
であり、
その中で、
0005479596.tif 000138
であり、
0005479596.tif 000139
が第rセグメントの帯域幅のに対応するサブキャリア数である、の条件を満たす特徴を更に有することができる。
【００４５】
前記装置はさらに、シーケンス
0005479596.tif 000140
に1つのマグニチュードのスケーリング係数
0005479596.tif 000141
をかけた後、
0005479596.tif 000142
から対応するPUSCH伝送に用いられる同じ物理リソースブロックの集合にマッピングし、リソース要素
0005479596.tif 000143
にマッピングする時、kとlが逓増する順序によって、周波数領域を先にし、時間領域を後にするようにマッピングし、タイムスロット毎においてPUSCHに用いられる復調用参照信号DM RSがいずれも7個のノーマル・サイクリックプレフィックス符号における第4番目或は6個の拡張サイクリックプレフィックス符号における第3番目に位置されるように設置される特徴を更に有することができる。
【発明の効果】
【００４６】
本発明によれば、提出された参照信号の送信方法と装置はLTE-Aシステムにおいて複数のコンポーネントキャリア・アグリゲーションの時のPUSCHの復調用参照信号DM RSの送信問題及び1つのコンポーネントキャリア内のPUSCHの非連続リソース割当時の復調用参照信号DM RSの送信問題を解決した。
【００４７】
図面は、本発明へのより深い理解を提供するためのもので、且つ明細書の一部となり、本発明の実施例とともに本発明を解釈し、本発明を制限するものにならないものとする。
【図面の簡単な説明】
【００４８】
【図１】[図1]LTEシステムにおける物理リソースブロックの構造の模式図（ノーマル・サイクリックプレフィックスを例とする）
【図２】[図2]はLTEシステムにおける物理アップリンク共有チャネルの構造の模式図（ノーマル・サイクリックプレフィックスを例とする）
【図３】[図3]はLTEシステムにおける物理アップリンク共有チャネルの復調用参照信号のタイムスロット位置の模式図
【図４】[図4]はLTEシステムにおける物理アップリンク共有チャネルの復調用参照信号の構造の模式図（ノーマル・サイクリックプレフィックスを例とする）
【図５】[図5]はLTE-Aシステムにおけるキャリア・アグリゲーションの模式図
【図６】[図6]は本発明による実施例1の復調用参照信号の構造の模式図
【図７】[図7]は本発明による実施例2の復調用参照信号の構造の模式図
【図８】[図8]は本発明による実施例3の復調用参照信号の構造の模式図
【図９】[図9]は本発明による実施例4の復調用参照信号の構造の模式図
【発明を実施するための形態】
【００４９】
本発明による提供された参照信号の送信方法は、キャリア・アグリゲーションの時、ユーザー端末が1つ或は複数のコンポーネントキャリアの上でPUSCHを送信し、各コンポーネントキャリアにおけるPUSCHの占用した各々のセグメントの帯域幅の上でPUSCHに用いられる復調用参照信号DM RSを送信し、その中で、1セグメントの帯域幅の上のDM RSシーケンスが1つの独立シーケンス或は1つの独立シーケンスの部分的なシーケンスであり、若干の他の帯域幅の上のDM RSシーケンと1つの独立シーケンスを構成し、前記1セグメントの帯域幅は何れかの1つのコンポーネントキャリアにおけるPUSCHの占用した1セグメントの連続の帯域幅或は何れかの1つのコンポーネントキャリアにおけるPUSCHの占用した複数のセグメントの帯域幅中の1セグメントの帯域幅であることが含まれる。
【００５０】
具体的に可能な状況は以下の通りである。
【００５１】
1）セグメント毎の帯域幅の上におけるDM RSシーケンスが独立シーケンスであり、
ユーザー端末が複数のコンポーネントキャリアの上で、PUSCHを送信する時、複数のコンポーネントキャリア中の各々コンポーネントキャリアに対して、該コンポーネントキャリアでPUSCHが1セグメントの連続の帯域幅を占用する時、該セグメントの連続の帯域幅におけるDM RSシーケンスが独立シーケンスであることを指し、該コンポーネントキャリアでPUSCHが複数のセグメントの帯域幅を占用する時、該コンポーネントキャリアの上でPUSCHの占用した複数のセグメントの帯域幅中の各々のセグメントの帯域幅のDM RSシーケンスが1つの独立シーケンスであることを指す。各々のコンポーネントキャリアの上におけるPUSCHがいずれも1セグメントの連続の帯域幅を占用する時、この時、各々のコンポーネントキャリアにおけるDM RSシーケンスが独立シーケンスである。
【００５２】
ユーザー端末が1つのコンポーネントキャリアの上で、PUSCHを送信し、且つ該コンポーネントキャリアの上でPUSCHが複数のセグメントの帯域幅を占用する時、該コンポーネントキャリアにおけるPUSCHの占用する複数のセグメントの帯域幅中の各々のセグメントの帯域幅のDM RSシーケンスが1つの独立シーケンスであることを指す。
【００５３】
2）部分的な帯域幅におけるDM RSシーケンスが独立シーケンスの部分的なシーケンスであり、若干のセグメントの帯域幅におけるDM RSシーケンスにより1つの独立シーケンスを構成し、部分的な帯域幅におけるDM RSシーケンスが独立シーケンスであり、以下通りの内容を含む。
【００５４】
a)同じコンポーネントキャリアにおけるDM RSシーケンスが独立シーケンスであり、
ユーザー端末が複数のコンポーネントキャリアの上でPUSCHを送信する時、複数のコンポーネントキャリア中の各々のコンポーネントキャリアに対して、該コンポーネントキャリアにおけるPUSCHが1セグメントの連続の帯域幅を占用する時、該セグメントの連続の帯域幅の上におけるDM RSシーケンスが独立シーケンスであることを指し、該コンポーネントキャリアにおけるPUSCHが複数のセグメントの帯域幅を占用する時、該コンポーネントキャリアにおけるPUSCHの占用した複数のセグメントの帯域幅の上のDM RSシーケンスで1つの独立シーケンスを構成し、各々のセグメントの帯域幅の上のDM RSシーケンスがそれぞれ該独立シーケンスの部分的なシーケンスである。各々のコンポーネントキャリアの上におけるPUSCHがいずれも1セグメントの連続の帯域幅を占用する時、各々のセグメントの帯域幅におけるDM RSシーケンスが独立シーケンスである特例を除外するが、該特例が（1）に含まれている。
【００５５】
ユーザー端末が1つのコンポーネントキャリアの上でPUSCHを送信し、且つ該コンポーネントキャリアにおいて、PUSCHが複数のセグメントの帯域幅を占用する時、該コンポーネントキャリアにおけるPUSCHの占用した複数のセグメントの帯域幅の上におけるDM RSシーケンスで1つの独立シーケンスを構成し、各々セグメントの帯域幅の上におけるDM RSシーケンスはそれぞれ該独立シーケンスの部分的なシーケンスである。
【００５６】
b)少なくとも1つのコンポーネントキャリアにおけるDM RSシーケンスが独立シーケンスの部分的なシーケンスであり、且つ少なくとも1つの1セグメントの帯域幅におけるDM RSシーケンスが独立シーケンスであり、
例えば、2つのコンポーネントキャリアにおけるPUSCHがそれぞれ1セグメントの連続の帯域幅を占用し、2つのセグメントの帯域幅におけるDM RSシーケンスが1つの独立シーケンスを構成し、もう1つのコンポーネントキャリアにおけるPUSCHが1セグメントの連続の帯域幅を占用し、その上のDM RSシーケンスが1つの独立シーケンスであり、
また、例えば、1つのコンポーネントキャリアにおけるPUSCHが3セグメントの帯域幅を占用し、その中で、2セグメントの帯域幅におけるDM RSシーケンスで1つの独立シーケンスを構成し、もう1セグメントの帯域幅におけるDM RSシーケンスが1つの独立シーケンスである。
【００５７】
前記内容が例示だけである。
【００５８】
3）すべての帯域幅におけるDM RSシーケンスで1つの独立シーケンスを構成し、
即ち、ユーザー端末が1つ或複数のコンポーネントキャリアの上でPUSCHを送信する時、各々のコンポーネントキャリアにおけるPUSCHが占用したすべての帯域幅中の各々のセグメントの帯域幅の上におけるDM RSシーケンスが同じ独立シーケンスの部分的なシーケンスである。
【００５９】
その中で、各々のセグメントの帯域幅におけるDM RSシーケンスの循環シフト量
0005479596.tif 000144
が同じでもよく、異なってもよい。
【００６０】
各々のセグメントの帯域幅におけるDM RSシーケンスの基準シーケンスが同じシーケンスグループからのものであってもよく、即ち、同じシーケンスグループ番号uを有し、異なるシーケンスグループからのものであってもよく、即ち、異なるシーケンスグループ番号uを有する。シーケンスグループホッピング機能をオンにすれば、各々のセグメントの帯域幅におけるDM RSシーケンスのシーケンスグループホッピングパターンが同じでもよく、異なってもよい。
【００６１】
1つ或は複数のDM RSシーケンスで構成された独立シーケンスの長さが
0005479596.tif 000145
となる時、該長さの独立シーケンスの基準シーケンスが各々のシーケンスグループにおいて1つのみ有し、該独立シーケンスの基準シーケンスのグループ内のシーケンス番号がv=0であり、1つ或は複数のDM RSシーケンスで構成された独立シーケンスの長さが
0005479596.tif 000146
となる時、該長さの独立シーケンスの基準シーケンスが各々のシーケンスグループで2つを有し、該独立シーケンスの基準シーケンスのグループ内のシーケンス番号がv=0,1である。
【００６２】
同じタイムスロットにおいては、複数の独立シーケンスの基準シーケンスが同じシーケンスグループからのものであり、同じ循環シフト量を有し、シーケンスの長さが同じで、且つ
0005479596.tif 000147
を満たすれば、前記複数の独立シーケンスの基準シーケンスのグループ内のシーケンス番号vが同じでもよく、異なってもよい。シーケンスグループホッピング機能をオフにし、シーケンスホッピング機能をオンにすれば、前記複数の独立シーケンスのシーケンスホッピングパターンが同じでもよく、異なってもよく、該独立シーケンスが1セグメントの帯域幅におけるDM RSシーケンス或は若干のセグメントの帯域幅におけるDM RSシーケンスで共同でグ構成されたシーケンスである。
【００６３】
特に、2つの独立シーケンスの基準シーケンスが同じシーケンスグループからのものであり、同じ循環シフトを有し、且つ2つの独立シーケンスが同じ長さを有し、いずれも≧
0005479596.tif 000148
となると、この2つの独立シーケンスのグループ内のシーケンス番号
0005479596.tif 000149
が
0005479596.tif 000150
を満たし、 
シーケンスグループホッピング機能をオフにし、シーケンスホッピング機能をオンにすると、この2つの独立シーケンスのシーケンスホッピングパターンが、
0005479596.tif 000151
を満たし、
該独立シーケンスが1セグメントの帯域幅におけるDM RSシーケンス或は若干のセグメントの帯域幅におけるDM RSシーケンスで共同で構成されたシーケンスである。
【００６４】
1セグメントの帯域幅におけるDM RSシーケンスが1つの独立シーケンスである時、該セグメントの帯域幅におけるDM RSシーケンス
0005479596.tif 000152
であり、
その中で、
0005479596.tif 000153
であり、
且つシーケンスの長さ
0005479596.tif 000154
が該セグメントの帯域幅に対応するサブキャリア数
0005479596.tif 000155
であり、即ち、
0005479596.tif 000156
であり、
m=0,1がそれぞれ1つのサブフレーム内の2つのタイムスロットに対応する。
【００６５】
シーケンス
0005479596.tif 000157
に1つのマグニチュードのスケーリング係数
0005479596.tif 000158
をかけた後、
0005479596.tif 000159
から対応するPUSCH伝送に用いられる同じ物理リソースブロック集合にマッピングする。リソース要素
0005479596.tif 000160
にマッピングする時、kとlが逓増する順序に従って、周波数領域（k）を先にし、時間領域（l）を後にするようにマッピングする。タイムスロット（slot）毎のPUSCHに用いられる復調用参照信号DM RSがいずれも7個のNormal CP符号における第4番目（l=3）或は6個のExtended CP符号における第3番目（l=2）に位置される。
【００６６】
Rセグメントの帯域幅におけるセグメント毎の帯域幅のDM RSシーケンスが1つの独立シーケンス
0005479596.tif 000161
の一部分である時、
0005479596.tif 000162
に定義され、
その中で、
0005479596.tif 000163
であり、
且つシーケンスの長さ
0005479596.tif 000164
がRセグメントの帯域幅に対応するサブキャリア数
0005479596.tif 000165
であり、即ち、
0005479596.tif 000166
であり、
その中で、
0005479596.tif 000167
であり、
0005479596.tif 000168
が第rセグメントの帯域幅に対応するPRB数である。
【００６７】
第rセグメントの帯域幅に対応するサブキャリア数は
0005479596.tif 000169
であり、
且つ
0005479596.tif 000170
となり、
m=0,1がそれぞれ1つのサブフレーム（subframe、1ms）内の2つのタイムスロットに対応する。
【００６８】
第rセグメントの帯域幅におけるDM RSシーケンス
0005479596.tif 000171
が
0005479596.tif 000172
であり、
その中で、
0005479596.tif 000173
であり、
特に、第0セグメントの帯域幅におけるDM RSシーケンス
0005479596.tif 000174
であり、
その中で、
0005479596.tif 000175
であり、
即ち、シーケンス
0005479596.tif 000176
をRセグメントに分け、第rセグメントのシーケンスが第rセグメントの帯域幅に対応し、他の対応方式でもよく、第rセグメントのシーケンスの長さが第rセグメントの帯域幅に対応するサブキャリア数
0005479596.tif 000177
ある。前記Rセグメントの帯域幅とは1つのコンポーネントキャリアにおけるRセグメントの帯域幅を指してもよく、R個のコンポーネントキャリアにおけるRセグメントの帯域幅（各々のコンポーネントキャリアにおける1セグメントの連続の帯域幅）或はP個のコンポーネントキャリアにおけるRセグメントの帯域幅を指し、その中で、P＜R、即ち、少なくとも1つのコンポーネントキャリアにおけるPUSCHが複数のセグメントの非連続の帯域幅を占用した。
【００６９】
シーケンス
0005479596.tif 000178
に1つのマグニチュードのスケーリング係数
0005479596.tif 000179
をかけた後、
0005479596.tif 000180
から対応するPUSCH伝送に用いられる同じ物理リソースブロックの集合にマッピングする。
0005479596.tif 000181
にマッピングする時、kとlが逓増する順序によって、周波数領域（k）を先にし、時間領域（l）を後にするようにマッピングする。タイムスロット（slot）毎のPUSCHに用いられる復調用参照信号DM RSがいずれも7個のNormal CP符号における第4番目（l=3）或は6個のExtended CP符号における第3番目（l=2）に位置される。
【００７０】
以下、実施例と図面を参照しながら詳細に本発明を述べる。
【００７１】
実施例1
図6に示すように、LTE-Aシステムにおいて、ユーザー端末1のPUSCHが1つのコンポーネントキャリアの上で送信し、該コンポーネントキャリアのアップリンクシステムの帯域幅が20MHzであり、PUSCHが周波数領域において、12個のPRB、144個のサブキャリア数に対応し、非連続のリソース割当を採用し、周波数領域において2セグメントの非連続の帯域幅に分けられ、2セグメントの帯域幅がそれぞれ4個のPRB、48個のサブキャリアと8個のPRB、96個のサブキャリアに対応するとする。
【００７２】
ユーザー端末1がそのPUSCHの占用した2セグメントの帯域幅の上でPUSCHに用いられる復調用参照信号DM RSを送信する。
【００７３】
セグメント毎の帯域幅におけるDM RSが1つの独立シーケンスである。
【００７４】
第0セグメントの帯域幅におけるDM RSシーケンス
0005479596.tif 000182
に定義され、
その中で、
0005479596.tif 000183
であり、シーケンスの長さが該セグメントの帯域幅に対応するサブキャリア数であり、
0005479596.tif 000184
であり、
m=0,1がそれぞれ1つのサブフレーム（subframe、1ms）内の2つのタイムスロットに対応する。
【００７５】
シーケンス
0005479596.tif 000185
に1つのマグニチュードのスケーリング係数
0005479596.tif 000186
をかけた後、
0005479596.tif 000187
から対応する第0セグメントのPUSCH伝送に用いられる同じ物理リソースブロックの集合にマッピングする。
0005479596.tif 000188
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号における第4番目（l=3））に位置される。
【００７６】
第1セグメントの帯域幅におけるDM RSシーケンス
0005479596.tif 000189
に定義され、
その中で、
0005479596.tif 000190
であり、
シーケンスの長さが該セグメントの帯域幅に対応するサブキャリア数であり、
0005479596.tif 000191
であり、
m=0,1がそれぞれ1つのサブフレーム（subframe、1ms）内の2つのタイムスロットに対応する。
【００７７】
シーケンス
0005479596.tif 000192
に1つのマグニチュードのスケーリング係数
0005479596.tif 000193
をかけた後、
0005479596.tif 000194
から対応する第1セグメントのPUSCH伝送に用いられる同じ物理リソースブロックの集合にマッピングする。
0005479596.tif 000195
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号の第4番目（l=3））に位置される。
【００７８】
2セグメントの帯域幅におけるDM RSシーケンスの循環シフト量
0005479596.tif 000196
が同じで、基準シーケンスのシーケンスグループ番号uが同じである。シーケンスグループホッピング機能をオンにすれば、2セグメントの帯域幅におけるDM RSシーケンスのシーケンスグループ番号uが1つの無線フレーム中で、タイムスロット
0005479596.tif 000197
に従って変化し、シーケンスグループホッピングパターンが同じである。
【００７９】
第0セグメントの帯域幅におけるDM RSのシーケンスの長さ
0005479596.tif 000198
であり、基準シーケンスのグループ内のシーケンス番号がv0=0であり、第1セグメントの帯域幅におけるDM RSのシーケンスの長さ
0005479596.tif 000199
であり、基準シーケンスのグループ内のシーケンス番号v1=0或は1である。シーケンスグループホッピング機能をオフにし、シーケンスホッピング機能をオンにし、第1セグメントの帯域幅におけるDM RSシーケンスのグループ内のシーケンス番号v1が1つの無線フレームの中で、タイムスロット
0005479596.tif 000200
に従って、変化する。
【００８０】
ユーザー端末1のPUSCHは該サブフレーム内で周波数ホッピングが発生せず、PUSCHがサブフレーム内の2つのタイムスロットで同じ周波数領域位置に位置される。それによって、相応するDM RSもサブフレーム内の2つのタイムスロットで同じ周波数領域位置に位置される。
【００８１】
実施例2
図7に示すように、LTE-Aシステムにおいては、ユーザー端末1のPUSCHが1つのコンポーネントキャリアで送信され、該コンポーネントキャリアのアップリンクシステム帯域幅が20MHzであり、PUSCHが周波数領域に12個のPRB、144個のサブキャリア数に対応し、非連続のリソース割当を採用し、周波数領域上で2セグメントの非連続の帯域幅に分けられ、2セグメントの帯域幅がそれぞれ4個のPRB、48個のサブキャリアと8個のPRB、96個のサブキャリアに対応する。
【００８２】
ユーザー端末1がそのPUSCHの占用した2セグメントの帯域幅の上でPUSCHに用いられる復調用参照信号DM RSを送信する。
【００８３】
セグメント毎の帯域幅におけるDM RSが1つの独立シーケンス
0005479596.tif 000201
の一部であり、
0005479596.tif 000202
に定義され、
その中で、
0005479596.tif 000203
であり、
且つ
0005479596.tif 000204
であり、
m=0,1がそれぞれ1つのサブフレーム（subframe、1ms）内の2つのタイムスロットに対応する。
【００８４】
第0セグメントの帯域幅におけるDM RSシーケンス
0005479596.tif 000205
であり、
その中で、
0005479596.tif 000206
であり、
且つ
0005479596.tif 000207
であり、
第1セグメントの帯域幅におけるDM RSシーケンス
0005479596.tif 000208
であり、
その中で、
0005479596.tif 000209
で、且つ
0005479596.tif 000210
であり、
即ち、シーケンス
0005479596.tif 000211
を2セグメントに分け、第0セグメントのシーケンスの長さが第0セグメントのPUSCHに対応するサブキャリア数48であり、第1セグメントのシーケンスの長さが第1セグメントのPUSCHに対応するサブキャリア数96である。
【００８５】
シーケンス
0005479596.tif 000212
に1つのマグニチュードのスケーリング係数
0005479596.tif 000213
をかけた後、
0005479596.tif 000214
から対応するPUSCH伝送に用いられる同じ物理リソースブロックの集合にマッピングする。1つのサブフレーム
0005479596.tif 000215
にマッピングする時、kとlが逓増する順序によって、周波数領域（k）を先にし、時間領域（l）を後にするようにマッピングする。各々のタイムスロット（slot）でPUSCHに用いられる復調用参照信号DM RSがいずれも7個のNormal CP符号の第4番目（l=3））に位置される。
【００８６】
シーケンスグループホッピング機能をオンにすれば、DM RSシーケンスのシーケンスグループ番号uが1つの無線フレーム内でタイムスロット
0005479596.tif 000216
に従って変化する。
【００８７】
DM RSのシーケンスの長さ
0005479596.tif 000217
であり、基準シーケンスのグループ内のシーケンス番号v=0或1である。シーケンスグループホッピング機能をオフにし、シーケンスホッピング機能をオンにすれば、vが1つの無線フレーム内でタイムスロット
0005479596.tif 000218
に従って変化する。
【００８８】
ユーザー端末1のPUSCHは該サブフレーム内で周波数ホッピングが発生せず、PUSCHがサブフレーム内の2つのタイムスロットで同じ周波数領域位置に位置される。それによって、相応するDM RSもサブフレーム内の2つのタイムスロットで同じ周波数領域位置に位置される。
【００８９】
実施例3
図8に示すように、LTE-Aシステムにおいては、ユーザー端末1のPUSCHが1つのコンポーネントキャリアで送信され、該コンポーネントキャリアのアップリンクシステム帯域幅が10MHzであり、PUSCHが周波数領域に24個のPRB、288個のサブキャリア数に対応し、非連続のリソース割当を採用し、周波数領域の上に3セグメントの非連続の帯域幅に分けられ、3セグメントの帯域幅がそれぞれ6個のPRB、72個のサブキャリア、12個のPRB、144個のサブキャリア、6個のPRB、72個のサブキャリアに対応する。
【００９０】
ユーザー端末1がそのPUSCHの占用した3セグメントの帯域幅の上でPUSCHに用いられる復調用参照信号DM RSを送信する。
【００９１】
セグメント毎の帯域幅におけるDM RSが1つの独立シーケンスである。
【００９２】
第0セグメントの帯域幅におけるDM RSシーケンス
0005479596.tif 000219
に定義され、
その中で、
0005479596.tif 000220
であり、
シーケンスの長さが該セグメントの帯域幅に対応するサブキャリア数であり、
0005479596.tif 000221
であり、
m=0、1がそれぞれ1つのサブフレーム（subframe、1ms）内の2つのタイムスロットに対応する。
【００９３】
シーケンス
0005479596.tif 000222
に1つのマグニチュードのスケーリング係数
0005479596.tif 000223
をかけた後、
0005479596.tif 000224
から対応する第0セグメントのPUSCH伝送に用いられる同じ物理リソースブロックの集合にマッピングする。
0005479596.tif 000225
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号の第4番目（l=3）に位置される。
【００９４】
第1セグメントの帯域幅におけるDM RSシーケンス
0005479596.tif 000226
に定義され、
その中で、
0005479596.tif 000227
であり、
シーケンスの長さが該セグメントの帯域幅に対応するサブキャリア数であり、
0005479596.tif 000228
であり、
m=0,1がそれぞれ1つのサブフレーム（subframe、1ms）内の2つのタイムスロットに対応する。
【００９５】
シーケンス
0005479596.tif 000229
に1つのマグニチュードのスケーリング係数
0005479596.tif 000230
をかけた後、
0005479596.tif 000231
から対応する第1セグメントのPUSCH伝送に用いられる同じ物理リソースブロックの集合にマッピングする。
0005479596.tif 000232
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号における第4番目（l=3）に位置される。
【００９６】
第2セグメントの帯域幅におけるDM RSシーケンス
0005479596.tif 000233
に定義され、
その中で、
0005479596.tif 000234
であり、
シーケンスの長さが該セグメントの帯域幅に対応するサブキャリア数であり、
0005479596.tif 000235
であり、
m=0,1がそれぞれ1つのサブフレーム（subframe、1ms）内の2つのタイムスロットに対応する。
【００９７】
シーケンス
0005479596.tif 000236
に1つのマグニチュードのスケーリング係数
0005479596.tif 000237
をかけた後、
0005479596.tif 000238
から対応する第2セグメントのPUSCH伝送に用いられる同じ物理リソースブロックの集合にマッピングする。
0005479596.tif 000239
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号における第4番目（l=3）に位置される。
【００９８】
3セグメントの帯域幅におけるDM RSシーケンスの循環シフト量
0005479596.tif 000240
が同じで、基準シーケンスのシーケンスグループ番号uが同じである。シーケンスグループホッピング機能をオンにすれば、3セグメントの帯域幅におけるDM RSシーケンスのシーケンスグループ番号uが1つの無線フレーム内で、タイムスロット
0005479596.tif 000241
に従って変化し、シーケンスグループホッピングパターンが同じである。
【００９９】
3セグメントの帯域幅におけるDM RSのシーケンスの長さがいずれも
0005479596.tif 000242
を満たし、基準シーケンスのグループ内のシーケンス番号が0或は1である。その中で、第0セグメントと第2セグメント上の帯域幅におけるDM RSのシーケンスの長さが同じで、1つのタイムスロット内で、2セグメントの帯域幅におけるDM RSシーケンスのグループ内のシーケンス番号が異なって、
0005479596.tif 000243
である。
【０１００】
シーケンスグループホッピング機能をオフにし、シーケンスホッピング機能をオンにすれば、3セグメントの帯域幅におけるDM RSシーケンスのグループ内のシーケンス番号が1つの無線フレーム内で、タイムスロットに従って変化する。その中で、第0セグメントと第2セグメントの帯域幅におけるDM RSのシーケンスホッピングパターンが異なり、且つちょうど逆になり、即ち、
0005479596.tif 000244
である。
【０１０１】
ユーザー端末1のPUSCHは該サブフレーム内で周波数ホッピングが発生せず、PUSCHがサブフレーム内の2つのタイムスロットで異なる周波数領域位置に位置される。このため、相応するDM RSもサブフレーム内の2つのタイムスロットで異なる周波数領域位置に位置される。
【０１０２】
実施例4
図9に示すように、LTE-Aシステムにおいては、ユーザー端末1のPUSCHが1つのコンポーネントキャリアで送信され、該コンポーネントキャリアのアップリンクシステム帯域幅が10MHzであり、PUSCHが周波数領域に24個のPRB、288個のサブキャリア数に対応し、非連続のリソース割当を採用し、周波数領域上で3セグメントの非連続の帯域幅に分けられ、3セグメントの帯域幅がそれぞれ6個のPRB、72個のサブキャリア、12個のPRB、144個のサブキャリア、6個のPRB、72個のサブキャリアに対応する。
【０１０３】
ユーザー端末1がそのPUSCHの占用した3セグメントの帯域幅の上でPUSCHに用いられる復調用参照信号DM RSを送信する。
【０１０４】
セグメント毎の帯域幅におけるDM RSが1つの独立シーケンス
0005479596.tif 000245
の一部であり、
0005479596.tif 000246
に定義され、
その中で、
0005479596.tif 000247
であり、
且つ、
0005479596.tif 000248
であり、
m=0,1がそれぞれ1つのサブフレーム（subframe、1ms）内の2つのタイムスロットに対応する。
【０１０５】
第0セグメントの帯域幅におけるDM RSシーケンス
0005479596.tif 000249
であり、
その中で、
0005479596.tif 000250
であり、
且つ、
0005479596.tif 000251
であり、
第1セグメントの帯域幅におけるDM RSシーケンス
0005479596.tif 000252
であり、
その中で、
0005479596.tif 000253
であり、
且つ、
0005479596.tif 000254
であり、
第2セグメントの帯域幅におけるDM RSシーケンス
0005479596.tif 000255
であり、
その中で、
0005479596.tif 000256
であり、
且つ、
0005479596.tif 000257
であり、
即ち、シーケンス
0005479596.tif 000258
を3セグメントに分け、第0セグメントのシーケンスの長さが第0セグメントのPUSCHに対応するサブキャリア数36であり、第1セグメントのシーケンスの長さが第1セグメントのPUSCHに対応するサブキャリア数72であり、第2セグメントのシーケンスの長さが第2セグメントのPUSCHに対応するサブキャリア数36である。
【０１０６】
シーケンス
0005479596.tif 000259
に1つのマグニチュードのスケーリング係数
0005479596.tif 000260
をかけた後、
0005479596.tif 000261
から対応するPUSCH伝送に用いられる同じ物理リソースブロックの集合にマッピングする。1つのサブフレームの
0005479596.tif 000262
にマッピングする時、kとlが逓増する順序によって、周波数領域（k）を先にし、時間領域（l）を後にするようにマッピングする。各々のタイムスロット（slot）でPUSCHに用いられる復調用参照信号DM RSがいずれも7個のNormal CP符号における第4番目（l=3）に位置される。
【０１０７】
シーケンスグループホッピング機能をオンにすれば、DM RSシーケンスのシーケンスグループ番号uが1つの無線フレーム内で、タイムスロット
0005479596.tif 000263
に従って変化する。
【０１０８】
DM RSのシーケンスの長さ
0005479596.tif 000264
であり、基準シーケンスのグループ内のシーケンス番号がv=0或1である。シーケンスグループホッピング機能をオフにし、シーケンスホッピング機能をオンにすれば、vが1つの無線フレーム内でタイムスロット
0005479596.tif 000265
に従って変化する。
【０１０９】
ユーザー端末1のPUSCHは該サブフレーム内で周波数ホッピングが発生し、PUSCHがサブフレーム内の2つのタイムスロット中で、異なる周波数領域位置に位置される。このため、相応するDM RSもサブフレーム内の2つのタイムスロットで異なる周波数領域位置に位置される。
【０１１０】
実施例5
LTE-Aシステムにおいては、ユーザー端末1のPUSCHは3個のコンポーネントキャリアの上で同時に送信し、3個のコンポーネントキャリアのアップリンクシステム帯域幅がいずれも20MHzであり、各々のコンポーネントキャリア内で連続のリソース割当を採用し、それぞれが周波数領域上で12個のPRB、144個のサブキャリア数、8個のPRB、96個のサブキャリアと8個のPRB、96個のサブキャリアに対応するとする。
【０１１１】
各々のコンポーネントキャリア内で、ユーザー端末1がそのPUSCHに占用された帯域幅の上でPUSCHに用いられる復調用参照信号DM RSを送信する。各々のコンポーネントキャリアの上のDM RSが1つの独立シーケンスである。
【０１１２】
コンポーネントキャリア0におけるDM RSシーケンス
0005479596.tif 000266
に定義され、
その中で、
0005479596.tif 000267
であり、
シーケンスの長さが該コンポーネントキャリアの上のPUSCHの占用した帯域幅に対応するサブキャリア数であり、
0005479596.tif 000268
であり、
m=0,1がそれぞれ1つのサブフレーム（subframe、1ms）内の2つのタイムスロットに対応する。
【０１１３】
シーケンス
0005479596.tif 000269
に1つのマグニチュードのスケーリング係数
0005479596.tif 000270
をかけた後、
0005479596.tif 000271
から対応する第0セグメントのPUSCH伝送に用いられる同じ物理リソースブロックの集合にマッピングする。
0005479596.tif 000272
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号における第4番目（l=3）に位置される。
【０１１４】
コンポーネントキャリア1におけるDM RSシーケンス
0005479596.tif 000273
に定義され、
その中で、
0005479596.tif 000274
であり、
シーケンスの長さが該セグメントの帯域幅に対応するサブキャリア数
0005479596.tif 000275
であり、
m=0,1がそれぞれ1つのサブフレーム（subframe、1ms）内の2つのタイムスロットに対応する。
【０１１５】
シーケンス
0005479596.tif 000276
に1つのマグニチュードのスケーリング係数
0005479596.tif 000277
をかけた後、
0005479596.tif 000278
から対応する第1セグメントのPUSCH伝送に用いられる同じ物理リソースブロックの集合にマッピングする。
0005479596.tif 000279
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号における第4番目（l=3）に位置される。
【０１１６】
コンポーネントキャリア2におけるDM RSシーケンス
0005479596.tif 000280
に定義され、
その中で、
0005479596.tif 000281
であり、
シーケンスの長さが該セグメントの帯域幅に対応するサブキャリア数であり、
0005479596.tif 000282
であり、
m=0,1がそれぞれ1つのサブフレーム（subframe、1ms）内の2つのタイムスロットに対応する。
【０１１７】
シーケンス
0005479596.tif 000283
に1つのマグニチュードのスケーリング係数
0005479596.tif 000284
をかけた後、
0005479596.tif 000285
から対応する第2セグメントのPUSCH伝送に用いられる同じ物理リソースブロックの集合にマッピングする。
0005479596.tif 000286
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号の第4番目（l=3）に位置される。
【０１１８】
コンポーネントキャリア1とコンポーネントキャリア2におけるDM RSシーケンスの循環シフト量が同じで、コンポーネントキャリア0における循環シフト量が異なり、即ち、
0005479596.tif 000287
である。
【０１１９】
コンポーネントキャリア1とコンポーネントキャリア2におけるDM RSの基準シーケンスのシーケンスグループ番号が同じで、コンポーネントキャリア0におけるシーケンスグループ番号が異なり、即ち
0005479596.tif 000288
である。シーケンスグループホッピング機能をオンにすれば、コンポーネントキャリア1とコンポーネントキャリア2におけるDM RSシーケンスのシーケンスグループホッピングパターンが同じで、コンポーネントキャリア0におけるシーケンスグループホッピングパターンが異なる。
【０１２０】
3個のコンポーネントキャリアにおけるDM RSのシーケンスの長さがいずれも
0005479596.tif 000289
を満たし、基準シーケンスのグループ内のシーケンス番号が0或は1である。
【０１２１】
コンポーネントキャリア1とコンポーネントキャリア2におけるDM RSの基準シーケンスが同じシーケンスグループからのものであり、同じ循環シフト量を有し、シーケンスの長さが同じで、同じタイムスロットにあり、2個のDM RSシーケンスのグループ内のシーケンス番号が異なり、且つ
0005479596.tif 000290
を満たし、
シーケンスグループホッピング機能をオフにし、シーケンスホッピング機能をオンにすれば、2個のDM RSのシーケンスホッピングパターンが異なり、且つちょうど逆となり、即ち、
0005479596.tif 000291
であり、
ユーザー端末1のPUSCHが該サブフレーム内で周波数ホッピングが発生せず、各々のコンポーネントキャリア内で、PUSCHがサブフレーム内の2つのタイムスロットで同じ周波数領域位置に位置される。このため、各々のコンポーネントキャリア内で、相応するDM RSもサブフレーム内の2つのタイムスロットで同じ周波数領域位置に位置される。
【０１２２】
実施例6
LTE-Aシステムにおいては、ユーザー端末1のPUSCHは2個のコンポーネントキャリアの上で同時に送信し、2個のコンポーネントキャリアのアップリンクシステム帯域幅がいずれも15MHzである。コンポーネントキャリア0で非連続のリソース割当を採用し、周波数領域上で12個のPRB、144個のサブキャリア数、24個のPRB、288個のサブキャリア、2セグメントの非連続の帯域幅に対応し、コンポーネントキャリア1上で、連続のリソース割当を採用し、周波数領域上で16個のPRB、192個のサブキャリアに対応するとする。
【０１２３】
各々のコンポーネントキャリア内で、ユーザー端末1がそのPUSCHに占用した帯域幅の上でPUSCHに用いられる復調用参照信号DM RSを送信する。各々のコンポーネントキャリアの上のDM RSが1つの独立シーケンスである。
【０１２４】
コンポーネントキャリア0におけるDM RSシーケンス
0005479596.tif 000292
に定義され、
その中で、
0005479596.tif 000293
であり、
シーケンスの長さが該コンポーネントキャリアにおけるPUSCHの占用した帯域幅に対応するサブキャリア数であり、
0005479596.tif 000294
であり、
m=0,1がそれぞれ1つのサブフレーム（subframe、1ms）内の2つのタイムスロットに対応する。
【０１２５】
その中で、第0セグメント帯域幅におけるDM RSシーケンス
0005479596.tif 000295
であり、
その中で、
0005479596.tif 000296
であり、
且つ、
0005479596.tif 000297
であり、
第1セグメントの帯域幅におけるDM RSシーケンス
0005479596.tif 000298
に定義され、
その中で、
0005479596.tif 000299
であり、
且つ
0005479596.tif 000300
であり、
即ち、シーケンス
0005479596.tif 000301
を2セグメントに分け、第0セグメントのシーケンスの長さが第0セグメントのPUSCHに対応するサブキャリア数144であり、第1セグメントのシーケンスの長さが第1セグメントのPUSCHに対応するサブキャリア数288である。
【０１２６】
シーケンス
0005479596.tif 000302
に1つのマグニチュードのスケーリング係数
0005479596.tif 000303
をかけた後、
0005479596.tif 000304
から対応する第0セグメントのPUSCH伝送に用いられる同じ物理リソースブロックの集合にマッピングする。
0005479596.tif 000305
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号の第4番目（l=3）に位置される。
【０１２７】
コンポーネントキャリア1におけるDM RSシーケンス
0005479596.tif 000306
に定義され、
その中で、
0005479596.tif 000307
であり、
シーケンスの長さが該セグメントの帯域幅に対応するサブキャリア数であり、
0005479596.tif 000308
であり、
m=0,1がそれぞれ1つのサブフレーム（subframe、1ms）内の2つのタイムスロットに対応する。
【０１２８】
シーケンス
0005479596.tif 000309
に1つのマグニチュードのスケーリング係数
0005479596.tif 000310
をかけた後、
0005479596.tif 000311
から対応する第1セグメントのPUSCH伝送に用いられる同じ物理リソースブロックの集合にマッピングする。
0005479596.tif 000312
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号における第4番目（l=3）に位置される。
【０１２９】
コンポーネントキャリア0とコンポーネントキャリア1におけるDM RSシーケンスの循環シフト量が異なり、即ち
0005479596.tif 000313
であり。
【０１３０】
コンポーネントキャリア0とコンポーネントキャリア1におけるDM RSの基準シーケンスのシーケンスグループ番号が異なり、即ち
0005479596.tif 000314
である。シーケンスグループホッピング機能をオンにすれば、コンポーネントキャリア1とコンポーネントキャリア2におけるDM RSシーケンスのシーケンスグループホッピングパターンが異なる。
【０１３１】
2個のコンポーネントキャリアにおけるDM RSのシーケンスの長さはいずれも
0005479596.tif 000315
を満たし、基準シーケンスのグループ内のシーケンス番号が0或は1である。シーケンスグループホッピング機能をオフにし、シーケンスホッピング機能をオンにすれば、2個のDM RSシーケンスのグループ内のシーケンス番号v0とv1はそれぞれ1つの無線フレーム内で、タイムスロット
0005479596.tif 000316
に従って変化する。
【０１３２】
ユーザー端末1のPUSCHは該サブフレーム内で周波数ホッピングが発生せず、各々のコンポーネントキャリア内で、PUSCHがサブフレーム内の2つのタイムスロット中で同じ周波数領域位置に位置される。このため、各々のコンポーネントキャリア内で、相応するDM RSもサブフレーム内の2つのタイムスロット中で同じ周波数領域位置に位置される。
【０１３３】
実施例7
LTE-Aシステムにおいては、ユーザー端末1のPUSCHは2個のコンポーネントキャリアの上で同時に送信され、2個のコンポーネントキャリアのアップリンクシステム帯域幅がいずれも10MHzである。コンポーネントキャリア0で非連続のリソース割当を採用し、周波数領域上で12個のPRB、144個のサブキャリア数、24個のPRB、288個のサブキャリア、2セグメントの非連続の帯域幅に対応し、コンポーネントキャリア1上で、非連続のリソース割当を採用し、周波数領域上でそれぞれ16個のPRB、192個のサブキャリアと12個のPRB、144個のサブキャリア数、2セグメントの非連続の帯域幅に対応する。
【０１３４】
各々のコンポーネントキャリア内で、ユーザー端末1がそのPUSCHに占用された帯域幅の上でPUSCHに用いられる復調用参照信号DM RSを送信する。各々のコンポーネントキャリア内で、各々のセグメント帯域幅の上のDM RSが1つの独立シーケンスである。
【０１３５】
コンポーネントキャリア0上で、第0セグメントの帯域幅におけるDM RSシーケンス
0005479596.tif 000317
であり、
その中で、
0005479596.tif 000318
であり、
シーケンスの長さが該コンポーネントキャリアにおけるPUSCHの占用した帯域幅に対応するサブキャリア数であり、
0005479596.tif 000319
であり、
シーケンス
0005479596.tif 000320
に1つのマグニチュードのスケーリング係数
0005479596.tif 000321
をかけた後、
0005479596.tif 000322
から対応する第0セグメントのPUSCH伝送に用いられる同じ物理リソースブロックの集合にマッピングする。
0005479596.tif 000323
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号における第4番目（l=3）に位置される。
【０１３６】
第1セグメントの帯域幅におけるDM RSシーケンス
0005479596.tif 000324
であり、
その中で、
0005479596.tif 000325
であり、
シーケンスの長さが該セグメントの帯域幅に対応するサブキャリア数であり、
0005479596.tif 000326
であり、
シーケンス
0005479596.tif 000327
に1つのマグニチュードのスケーリング係数
0005479596.tif 000328
をかけた後、
0005479596.tif 000329
から対応する第1セグメントのPUSCH伝送に用いられる同じ物理リソースブロックの集合にマッピングする。
0005479596.tif 000330
にマッピングする時、kとlが逓増する順序によって、周波数領域（k）を先にし、時間領域（l）を後にするようにマッピングする。各々のタイムスロット（slot）でPUSCHに用いられるDM RSが7個のNormal CP符号における第4番目（l=3）に位置される。
【０１３７】
コンポーネントキャリア1においては、第0セグメントの帯域幅におけるDM RSシーケンス
0005479596.tif 000331
であり、
その中で、
0005479596.tif 000332
であり、
シーケンスの長さが該コンポーネントキャリアにおけるPUSCHの占用した帯域幅に対応するサブキャリア数であり、
0005479596.tif 000333
であり、
シーケンス
0005479596.tif 000334
に1つのマグニチュードのスケーリング係数
0005479596.tif 000335
をかけた後、
0005479596.tif 000336
から対応する第0セグメントのPUSCH伝送に用いられる同じ物理リソースブロックの集合にマッピングする。
0005479596.tif 000337
にマッピングする時、kとlが逓増する順序によって、周波数領域（k）を先にし、時間領域（l）を後にするようにマッピングする。各々のスロット（slot）でPUSCHに用いられるDM RSが7個のNormal CP符号における第4番目（l=3）に位置される。
【０１３８】
第1セグメントの帯域幅におけるDM RSシーケンス
0005479596.tif 000338
であり、
その中で、
0005479596.tif 000339
であり、
シーケンスの長さが該セグメントの帯域幅に対応するサブキャリア数であり、
0005479596.tif 000340
であり、
シーケンス
0005479596.tif 000341
に1つのマグニチュードのスケーリング係数
0005479596.tif 000342
をかけた後、
0005479596.tif 000343
から対応する第1セグメントのPUSCH伝送に用いられる同じ物理リソースブロックの集合にマッピングする。
0005479596.tif 000344
にマッピングする時、kとlが逓増する順序によって、周波数領域（k）を先にし、時間領域（l）を後にするようにマッピングする。各々のスロット（slot）でPUSCHに用いられるDM RSが7個のNormal CP符号における第4番目（l=3）に位置される。
【０１３９】
コンポーネントキャリア0とコンポーネントキャリア1におけるDM RSシーケンスの循環シフト量が異なり、即ち
0005479596.tif 000345
であり、1つのコンポーネントキャリア内で、2セグメントの帯域幅におけるDM RSシーケンスの循環シフト量が同じである。
【０１４０】
コンポーネントキャリア0とコンポーネントキャリア1におけるDM RSの基準シーケンスのシーケンスグループ番号が異なり、即ち
0005479596.tif 000346
であり、1つのコンポーネントキャリア内で、2セグメントの帯域幅におけるDM RSの基準シーケンスのシーケンスグループ番号が同じである。シーケンスグループホッピング機能をオンにすれば、コンポーネントキャリア1とコンポーネントキャリア2におけるDM RSシーケンスのシーケンスグループホッピングパターンが異なり、1つのコンポーネントキャリア内で、2セグメントの帯域幅におけるDM RSシーケンスのシーケンスグループホッピングパターンが同じである。
【０１４１】
2個のコンポーネントキャリア内で、4セグメントの帯域幅におけるDM RSのシーケンスの長さがいずれも
0005479596.tif 000347
を満たし、基準シーケンスのグループ内のシーケンス番号が0或は1である。シーケンスグループホッピング機能をオフにし、シーケンスホッピング機能をオンにすれば、1つのコンポーネントキャリア内で同じシーケンスグループに属する2個のDM RSシーケンスのグループ内のシーケンス番号が1つの無線フレーム内で、タイムスロット
0005479596.tif 000348
に従って、同じシーケンスグループホッピングパターンに基づき変化する。
【０１４２】
ユーザー端末1のPUSCHは該サブフレーム内で周波数ホッピングが発生せず、各コンポーネントキャリア内で、PUSCHがサブフレーム内の2つのタイムスロットで同じ周波数領域位置に位置される。このため、各々のコンポーネントキャリア内で、相応するDM RSもサブフレーム内の2つのタイムスロットで同じ周波数領域位置に位置される。
【０１４３】
以上の内容は、本発明の実施例だけで、本発明を制限することに用いられるものではなく、当業者に対して、本発明に各種の変更と変化が加えられることが可能となる。本発明の趣旨と原則内のすべての修正、引換、改善などいずれも本発明の特許請求範囲に含まれるものとする。
【産業上の利用可能性】
【０１４４】
本発明によって、提出された参照信号の送信方法と装置はLTE-Aシステムにおいて、複数のコンポーネントキャリア・アグリゲーションの時のPUSCHのDM RSの送信問題及び1つのコンポーネントキャリア内でのPUSCH非連続のリソース割当時の復調用参照信号DM RSの送信問題を解決した。
【図１】
0005479596.tif 000381
【図２】
0005479596.tif 000382
【図３】
0005479596.tif 000383
【図４】
0005479596.tif 000384
【図５】
0005479596.tif 000385
【図６】
0005479596.tif 000386
【図７】
0005479596.tif 000387
【図８】
0005479596.tif 000388
【図９】
0005479596.tif 000389